(57)【要約】      （修正有）【課題】ドアを開いたとき、ドアとドア取付体との間に出来るドア軸隙間に、子供や幼児が手や指を挟む事故を防止でき、しかも既存のドアにも適用し得るドア軸隙間安全装置を提供する。【解決手段】ドア軸隙間安全装置６を、繰り返しロール状に巻いたりほどいたりすることが可能なカバー膜６３と、カバー膜の一方の端部に取り付けられた端部固定部６１と、カバー膜の他方の端部を内部に固着し、バネの力により該カバー膜を巻き取る巻取部６２とで構成する。端部固定部６１をドア１のドア軸隙間５に沿う部分に取付け、巻取部６２をドア取付体３のドア軸隙間５に沿う部分に取り付ける。ドア１が開かれるとカバー膜６３が引き出され、ドア軸隙間５を覆うので、手や指が挟まれることが無くなる。【選択図】図１
0003180422.tif 000002
【実用新案登録請求の範囲】
【請求項１】
繰り返しロール状に巻いたりほどいたりすることが可能なカバー膜と、
該カバー膜の一方の端部に取り付けられた端部固定部と、
該カバー膜の他方の端部を内部に固着し、バネの力により該カバー膜を巻き取る巻取部とを具えるよう構成され、
ドアを開いた時にドアの回動軸の方向に沿ってドアとドア取付体との間に出来るドア軸隙間を前記カバー膜が覆うように、ドアおよびドア取付体のうちの一方に該ドア軸隙間に沿って前記端部固定部を取付け、他方に該ドア軸隙間に沿って巻取部を取付けて使用する
ことを特徴とするドア軸隙間安全装置。
【考案の詳細な説明】
【技術分野】
【０００１】
本考案は、ドアを開いた時にドア軸のところに生ずる隙間に、手や指を挟まないようにするためのドア軸隙間安全装置に関するものである。
【背景技術】
【０００２】
図４は、従来のドアを説明する図である。図４において、１はドア、２はドアノブ、３はドア取付体、４は蝶番、５はドア軸隙間である。図４（１）は斜視図、図４（２）は上から見下ろした平面図である。
ドア１は蝶番４を介してドア取付体３に取り付けられており、図示の如くドア１を開いた時に、ドア軸隙間５を生ずる。これは、ドア１の回動軸（蝶番４の軸）の方向に沿って、ドア１とドア取付体３との間に出来る隙間のことである。
このドア軸隙間５に幼児や子供が手や指を当てている時に、それを知らずにドア１を閉じると、手や指をドア１とドア取付体３との間に大きな力で挟まれて怪我をすることがある。
【０００３】
そこで、そのような事故を防止するため、さまざまなドア軸隙間安全装置が考えられて来た。そのようなものの１例として特開２０１２−９７５２３号公報に開示されているものがある。
これは、次のような２つの構造を施したものである。第１の構造は、ドア軸隙間に面するドアの面に、弾性材料から出来ている緩衝部材を貼り付けるという構造である。第２の構造は、ドアを閉じた時でもドア軸部分に指が入る程度の隙間が出来るようにした、特殊構造の蝶番を使用するという構造である。
【先行技術文献】
【特許文献】
【０００４】
【特許文献１】特開２０１２−９７５２３号公報
【考案の概要】
【考案が解決しようとする課題】
【０００５】
（問題点）
前記した従来のドア軸隙間安全装置には、次のような問題点があった。
第１の問題点は、コストが高いという点である。
第２の問題点は、ドアを新設する時には適用できるが、既存のドアにそのまま適用することは出来ないという点である。
【０００６】
（問題点の説明）
まず第１の問題点について説明する。従来にはない特殊構造の蝶番を用いなければならないが、これは大量販売されているものではなく値段が高い。また、ドアに沿って弾性材料から出来ている緩衝部材を貼り付けなければならないが、これも特殊な形状の部材であり費用がかかる。このような事情から、コストが高くなる。
【０００７】
次に第２の問題点について説明する。既存のドアに適用しようとすれば、まず蝶番を取り替えなければならない。また、ドア軸部分に指が入る程度の隙間を作るため、ドアの幅を削って狭くしなければならない。これでは既存のドアへそのまま適用することは出来ず、新しくドアを作り直すという工事になってしまう。
本考案は、以上のような問題点を解決することを課題とするものである。
【課題を解決するための手段】
【０００８】
本考案のドア軸隙間安全装置は、繰り返しロール状に巻いたりほどいたりすることが可能なカバー膜と、該カバー膜の一方の端部に取り付けられた端部固定部と、該カバー膜の他方の端部を内部に固着し、バネの力により該カバー膜を巻き取る巻取部とを具えるよう構成され、ドアを開いた時にドアの回動軸の方向に沿ってドアとドア取付体との間に出来るドア軸隙間を前記カバー膜が覆うように、ドアおよびドア取付体のうちの一方に該ドア軸隙間に沿って前記端部固定部を取付け、他方に該ドア軸隙間に沿って巻取部を取付けて使用する装置とした。
【考案の効果】
【０００９】
本考案のドア軸隙間安全装置によれば、次のような効果を奏する。
１．既存のドアにもそのまま適用できる。
ドア軸隙間を挟んで両側にあるドアまたはドア取付体の一方に端部固定部を取付け、他方に巻取部を取付けるだけでよく、既存のドア構造自体は変える必要がないからである。
２．コストが安い。
カバー膜は、プラスチックフィルムを用いることが出来るが、これは安価である。また、膜体を引き出したり巻き取ったりする巻取部は広く知られた構造のものであり、製造コストは安い。
【図面の簡単な説明】
【００１０】
【図１】本考案の第１の実施形態を示す図
【図２】本考案の第２の実施形態を示す図
【図３】本考案の第３の実施形態を示す図
【図４】従来のドアを説明する図
【考案を実施するための形態】
【００１１】
以下、本考案の実施形態を図面に基づいて詳細に説明する。
（第１の実施形態）
図１は、本考案の第１の実施形態を示す図である。符号は図４のものに対応し、６はドア軸隙間安全装置、６１は端部固定部、６２は巻取部、６３はカバー膜である。図１（１）は斜視図、図１（２）は平面図である。
【００１２】
ドア軸隙間安全装置６は、端部固定部６１と巻取部６２とカバー膜６３とで構成される。カバー膜６３としては、布あるいはプラスチック製の薄膜を用いることが出来る。巻取部６２は、カバー膜６３の一方の端部を内部に固着し、バネの力によりカバー膜６３をロール状に巻き取る部分である。端部固定部６１は、カバー膜６３の他方の端部に取り付けられたもので、ドア１またはドア取付体３の壁面に固定される部分である。
端部固定部６１を巻取部６２内のバネの力に抗して引っ張ると、カバー膜６３が引き出されて来る。端部固定部６１を離すと、カバー膜６３はバネの力により巻き取られる。但し、端部固定部６１は巻取部６２の内部へは収容されない。
【００１３】
このような構造のドア軸隙間安全装置６を、カバー膜６３がドア軸隙間５を覆うように取り付ける。例えば、図１（１）に示すように、端部固定部６１をドア１の壁面に取付け、巻取部６２をドア取付体３の壁面に取り付ける。この取付けは、ネジで取付けるようにしても良いし、接着剤を用いて取り付けるようにしても良い。
端部固定部６１がドア１に取り付けられているので、ドア１を開くと、ドア１と共に回動して離れて行く端部固定部６１に引っ張られて、カバー膜６３が巻取部６２より引き出されて来る。
【００１４】
巻取部６２はドア取付体３に残ったままであるから、結局、ドア１の回動軸（蝶番４の軸）の方向に沿って出来るドア軸隙間５は、カバー膜６３によって覆われることになる。その様子は、図１（２）によく示されている。
ドア軸隙間５がカバー膜６３で覆われると、手や指がドア軸隙間５に入るのが防止される。そのため、ドア１を閉めた時に、ドア軸隙間５で手や指が挟まれることもない。
なおドア１を閉めるときには、カバー膜６３が巻取部６２により巻き取られるので、カバー膜６３がドア軸隙間５に滞ることもなく、開閉の邪魔になることもない。
【００１５】
図１に示した例では、端部固定部６１をドア１に取付け、巻取部６２をドア取付体３に取り付けているが、それとは逆に、端部固定部６１をドア取付体３に取付け、巻取部６２をドア１に取り付けてもよい。要は、カバー膜６３がドア軸隙間５を覆うように取り付ければよい。
このことは、以下に述べる実施形態においても同様である。
【００１６】
（第２の実施形態）
図２は本考案の第２の実施形態を示す図であり、符号は図１のものに対応している。ドア軸隙間安全装置６は、ドア軸隙間５の下部の部分に対してのみ施されている。図１の実施形態と相違する点は、ドア軸隙間５の長手方向の長さの一部に対してのみ、ドア軸隙間安全装置６を施すようにした点である。
図１のものは、ドア軸隙間５のほぼ全長にわたってドア軸隙間安全装置６を施している。しかし、幼稚園や保育園におけるドアのように、主として子供や幼児が手や指を挟まないようにしたいというのが主目的で付ける場合には、子供や幼児には届かないような高い所まで、ドア軸隙間安全装置６を施す必要はない。長さを短くすると、コストはその分安くなる。
【００１７】
（第３の実施形態）
図３は本考案の第３の実施形態を示す図であり、これは、両方向に開閉し得るようにしたドアに本考案を適用した例を示している。図３において、５Ａはドア軸隙間、７はドア取付体、８は壁体、９は両方向開閉ドア、１０，１１は蝶番、６Ａ，６Ｂはドア軸隙間安全装置、６１Ａ，６１Ｂは端部固定部、６２Ａ，６２Ｂは巻取部、６３Ａ，６３Ｂはカバー膜である。図３（１）〜（４）は、いずれも上から見下ろした平面図である。
【００１８】
図３（１）は、両方向開閉ドア９が閉じている状態を示している。図３（２）は両方向開閉ドア９が矢印Ａの方向に開かれた状態を示している。この時の回動の中心は、蝶番１０である。図３（３）は両方向開閉ドア９が反対の矢印Ｂ方向に開かれた状態を示している。この時の回動の中心は、蝶番１１である。
図３（４）は、本考案のドア軸隙間安全装置６を、両方向開閉ドア９の両側に出来るドア軸隙間５に対してそれぞれ設けたものを示している。
【００１９】
それぞれを区別するための便宜上、両方向開閉ドア９を矢印Ａ方向に開いた時に出来るドア軸隙間を５Ａとし、そのドア軸隙間５Ａに対して施したドア軸隙間安全装置を６Ａとする。それに伴い、ドア軸隙間安全装置６Ａの端部固定部を６１Ａとし、巻取部を６２Ａとし、カバー膜を６３Ａとする。
同様に、両方向開閉ドア９を矢印Ｂ方向に開いた時に出来るドア軸隙間に対して施したドア軸隙間安全装置を６Ｂとする。それに伴い、ドア軸隙間安全装置６Ｂの端部固定部を６１Ｂとし、巻取部を６２Ｂとし、カバー膜を６３Ｂとする。
図１（４）は、両方向開閉ドア９が矢印Ａ方向に開かれた時、カバー膜６３Ａが引き出されて、ドア軸隙間５Ａを覆っている様子を示している。
【００２０】
なお、上述した例では建物のドアを示したが、本考案のドア軸隙間安全装置は、それ以外のドアにも適用し得るものであることは言うまでもない。そのようなドアとしては、例えば車両全般のドアとか、冷蔵庫等の家電製品のドア等がある。
【符号の説明】
【００２１】
１…ドア、２…ドアノブ、３…ドア取付体、４…蝶番、５…ドア軸隙間、６，６Ａ，６Ｂ…ドア軸隙間安全装置、７…ドア取付体、８…壁体、９…両方向開閉ドア、１０，１１…蝶番、６１，６１Ａ，６１Ｂ…端部固定部、６２，６２Ａ，６２Ｂ…巻取部、６３，６３Ａ，６３Ｂ…カバー膜
【図１】
0003180422.tif 000003
【図２】
0003180422.tif 000004
【図３】
0003180422.tif 000005
【図４】
0003180422.tif 000006